(57)【要約】【課題】収納の機能を有する引き出し本体部をキャビネットから引き出した状態で、作業用テーブルとしての機能を必要に応じて付加的に発生可能で、キャビネット自体を設計変更しなくても補助テーブル付き引き出しを設置可能な、簡素な構成の補助テーブル付き引き出しを提供する。【解決手段】補助テーブル付き引き出し１４は、被収納物を収納可能な引き出し本体部３４と、キャビネット３に設けられ、引き出し本体部に対して相対的に水平前後方向に移動可能で開閉可能な折り重ね構造の補助テーブル３１とを備え、引き出し本体部をキャビネットから引き出した状態で、補助テーブルもキャビネットから引き出して折り重ね構造を水平に開いて位置決めしこの補助テーブルに被載置物３５を載置可能にしている。【選択図】図２
2007289361.tif 000002
【特許請求の範囲】
【請求項１】
厨房家具のキャビネットに引き出し収納自在に設けられた補助テーブル付き引き出しであって、
水平前後方向に移動可能に前記キャビネットに設けられ収納部に被収納物を収納可能な引き出し本体部と、
この引き出し本体部および前記キャビネットの少なくとも一方に設けられ、前記引き出し本体部に対して相対的に水平前後方向に移動可能で開閉可能な折り重ね構造の補助テーブルとを備え、
前記引き出し本体部を前記キャビネットから引き出した状態で、前記補助テーブルも前記キャビネットから引き出して前記折り重ね構造を水平に開いて位置決めしこの補助テーブルに被載置物を載置可能にしたことを特徴とする補助テーブル付き引き出し。
【請求項２】
請求項１に記載の補助テーブル付き引き出しであって、
前記補助テーブルは、
前記引き出し本体部の上部開口の上方に水平に配置され、この引き出し本体部に対して相対的に水平前後方向に移動可能に前記キャビネットまたは前記引き出し本体部に水平に設けられた水平テーブル部材と、この水平テーブル部材に連結され、重なった状態からほぼ１８０度開いて水平方向の姿勢を維持可能な少なくとも一枚の揺動テーブル部材とを備えて前記折り重ね構造を構成するとともに、前方に引き出され水平に開いた状態で位置決め保持されるように構成され、
前記引き出し本体部を前記キャビネットから引き出すと、前記補助テーブルの前端部が前記キャビネットの前面とほぼ同じ位置かまたは若干前方に出ることによりこの補助テーブルを前方に引き出し可能であり、
前記水平テーブル部材は、上下方向と左右方向に移動しないように拘束され、
前記補助テーブルは、前方に引き出されて前記折り重ね構造が水平に開いているときには前後方向に移動しないように拘束されるとともに、前記水平テーブル部材と前記揺動テーブル部材が並んで水平な上面を形成することにより前記被載置物を載置可能にしたことを特徴とする補助テーブル付き引き出し。
【請求項３】
請求項２に記載の補助テーブル付き引き出しであって、
この補助テーブル付き引き出しはコンロに設けられたグリルの横で且つ壁面側の幅狭のスペースに配置され、前記引き出し本体部の前記収納部には調味料を収納可能であることを特徴とする補助テーブル付き引き出し。
【請求項４】
請求項１，２または３に記載の補助テーブル付き引き出しであって、
前記折り重ね構造が開いている状態で前記補助テーブルの外周縁の全体または一部に凸状縁部を形成したことを特徴とする補助テーブル付き引き出し。
【請求項５】
請求項２，３または４に記載の補助テーブル付き引き出しであって、
前記補助テーブルは、前記折り重ね構造が開いている状態で前記水平テーブル部材に対して前記揺動テーブル部材を水平に拘束するための水平拘束手段を有していることを特徴とする補助テーブル付き引き出し。
【請求項６】
請求項１ないし５のいずれかの項に記載の補助テーブル付き引き出しであって、
前記キャビネットには一対の補助テーブル用受けレールが取付けられ、前記補助テーブルには前記一対の補助テーブル用受けレールにスライド自在に係合する一対の補助テーブル用スライド部材が取付けられていることを特徴とする補助テーブル付き引き出し。
【請求項７】
請求項１ないし６のいずれかの項に記載の補助テーブル付き引き出しを有する厨房家具。
【発明の詳細な説明】
【技術分野】
【０００１】
本発明は、台所に設置されるシステムキッチンなど厨房家具に設けられた補助テーブル付き引き出しおよびこれを有する厨房家具に関する。
【背景技術】
【０００２】
特許文献１（特開平５−６８６１３号公報）には、ワークトップの一側面部に、ワークトップ上面より一段低くしてコンロ上面を配置するとともに、ワークトップとコンロ上面部との境部に位置する立ち上がり面に、コンロ側に引き出し自在な補助テーブルを設けた厨房装置が記載されている。
一方、特許文献２（特開平９−７０３２３号公報）には、システムキッチンなど厨房家具のカウンタートップの直下にスライドレールにより引き出し自在に補助カウンターを収納した引き出し式補助カウンターが記載されている。
【特許文献１】特開平５−６８６１３号公報
【特許文献２】特開平９−７０３２３号公報
【発明の開示】
【発明が解決しようとする課題】
【０００３】
特許文献１に記載の厨房装置では、引き出し自在な補助テーブルは、板状なので被収納物を収納するという収納機能を有しておらず、また、この補助テーブルを設置するために厨房装置のキャビネット自体を設計変更する必要があった。
特許文献２に記載の引き出し式補助カウンター（本発明の補助テーブルに相当）は、引き出されると若干上昇するように傾斜配置され、引き出された状態の補助カウンターがカウンタートップとほぼ面一になるようにしているので、構成が複雑化する傾向があった。
補助カウンターの主要な機能は、食器など被載置物を載置するという機能である。そのため、この補助カウンターには被収納物を収納する機能に関しては重要視していないので、この収納機能はないかまたはあったとしてもごく付随的なものであった。
【０００４】
本発明は、このような課題を解決するためになされたもので、被収納物を収納する機能を有する引き出し本体部を厨房家具のキャビネットから前方に引き出した状態で、作業用テーブルとしての機能を必要に応じて付加的に発生可能であり、また、キャビネット自体を設計変更しなくても補助テーブル付き引き出しを設置可能な、簡素な構成の補助テーブル付き引き出しおよびこれを有する厨房家具を提供することを目的とする。
【課題を解決するための手段】
【０００５】
上述の目的を達成するため、本発明にかかる補助テーブル付き引き出しは、厨房家具のキャビネットに引き出し収納自在に設けられた補助テーブル付き引き出しであって、水平前後方向に移動可能に前記キャビネットに設けられ収納部に被収納物を収納可能な引き出し本体部と、この引き出し本体部および前記キャビネットの少なくとも一方に設けられ、前記引き出し本体部に対して相対的に水平前後方向に移動可能で開閉可能な折り重ね構造の補助テーブルとを備え、前記引き出し本体部を前記キャビネットから引き出した状態で、前記補助テーブルも前記キャビネットから引き出して前記折り重ね構造を水平に開いて位置決めしこの補助テーブルに被載置物を載置可能にしている。
前記補助テーブルは、前記引き出し本体部の上部開口の上方に水平に配置され、この引き出し本体部に対して相対的に水平前後方向に移動可能に前記キャビネットまたは前記引き出し本体部に水平に設けられた水平テーブル部材と、この水平テーブル部材に連結され、重なった状態からほぼ１８０度開いて水平方向の姿勢を維持可能な少なくとも一枚の揺動テーブル部材とを備えて前記折り重ね構造を構成するとともに、前方に引き出され水平に開いた状態で位置決め保持されるように構成され、前記引き出し本体部を前記キャビネットから引き出すと、前記補助テーブルの前端部が前記キャビネットの前面とほぼ同じ位置かまたは若干前方に出ることによりこの補助テーブルを前方に引き出し可能であり、前記水平テーブル部材は、上下方向と左右方向に移動しないように拘束され、前記補助テーブルは、前方に引き出されて前記折り重ね構造が水平に開いているときには前後方向に移動しないように拘束されるとともに、前記水平テーブル部材と前記揺動テーブル部材が並んで水平な上面を形成することにより前記被載置物を載置可能にするのが好ましい。
たとえば、この補助テーブル付き引き出しはコンロに設けられたグリルの横で且つ壁面側の幅狭のスペースに配置され、前記引き出し本体部の前記収納部には調味料を収納可能にするのが好ましい。
前記補助テーブル付き引き出しは、前記折り重ね構造が開いている状態で前記補助テーブルの外周縁の全体または一部に凸状縁部を形成するのが好ましい。
前記補助テーブルは、前記折り重ね構造が開いている状態で前記水平テーブル部材に対して前記揺動テーブル部材を水平に拘束するための水平拘束手段を有しているのが好ましい。
好ましくは、前記キャビネットには一対の補助テーブル用受けレールが取付けられ、前記補助テーブルには前記一対の補助テーブル用受けレールにスライド自在に係合する一対の補助テーブル用スライド部材が取付けられている。
システムキッチンなど厨房家具は、前記補助テーブル付き引き出しを有している。
【発明の効果】
【０００６】
本発明にかかる補助テーブル付き引き出しおよびこれを有する厨房家具は、上述のように構成したので、被収納物を収納する機能を有する引き出し本体部を厨房家具のキャビネットから前方に引き出した状態で、作業用テーブルとしての機能を必要に応じて付加的に発生可能であり、また、キャビネット自体を設計変更しなくても補助テーブル付き引き出しを設置可能な、簡素な構成にすることができる。
【発明を実施するための最良の形態】
【０００７】
本発明における厨房家具は、台所に設置されるキッチン（たとえば、複合厨房家具の一種であるシステムキッチンや流し台）が通常であるが、洗面台，収納庫または他の厨房家具であってもよい。
また、グリルを有するコンロとしては、たとえば、ガスコンロ、またはＩＨ（電磁誘導加熱）クッキングヒーター，ラジエントヒーターもしくはシーズヒーターを用いたコンロがある。
システムキッチンは、壁面に当てて設置されるタイプのものを示したが、いわゆる半島形システムキッチン、対面式システムキッチン、壁面から離れた位置に設置されるいわゆる島形（アイランド形）システムキッチンであってもよい。
【０００８】
補助テーブル付き引き出しは、厨房家具のキャビネットに引き出し収納自在に設けられている。補助テーブル付き引き出しは、水平前後方向に移動可能にキャビネットに設けられ収納部に被収納物を収納可能な引き出し本体部と、引き出し本体部およびキャビネットの少なくとも一方に設けられ、引き出し本体部に対して相対的に水平前後方向に移動可能で開閉可能な折り重ね構造の補助テーブルとを備えている。
そして、引き出し本体部をキャビネットから引き出した状態で、補助テーブルもキャビネットから引き出して折り重ね構造を水平に開いて位置決めし補助テーブルに被載置物を載置可能にしている。
これにより、被収納物を収納する機能を有する引き出し本体部をキャビネットから引き出した状態で、被載置物を載置するという作業用テーブルとしての機能を必要に応じて付加的に発生可能であり、また、キャビネット自体を設計変更しなくても設置可能で簡素な構成にするという目的を実現している。
【実施例】
【０００９】
以下、本発明にかかる実施例を図１ないし図１６を参照して説明する。
図１は、本発明の一実施例または変形例が適用されたシステムキッチンの斜視図である。なお、説明の便宜上、図１中の符号Ｄ1，Ｄ2，Ｄ3，Ｄ4で示す各方向を、それぞれシステムキッチンの左方，右方，前方，後方とする。
【００１０】
図１に示すように、厨房家具としてのシステムキッチン１は台所２に設置されており、このシステムキッチン１に本発明が適用されている。
システムキッチン１は、床面上に設置されたキャビネット３を有しており、キャビネット３には、各種形状，構造の複数の引き出しが、引き出し収納自在に設けられている。キャビネット３は、コンロキャビネット４，一方の調理台キャビネット５，シンクキャビネット６，他方の調理台キャビネット７などが順次並設された構成で、ワークトップ８がキャビネット４〜７の上部を覆って取付けられている。
コンロキャビネット４には、ＩＨクッキングヒーター１１やグリル１２を備えたコンロ１３と、調味料などを収納するいわゆるスパイスボックスである引き出し１４と、コンロ１３の下方に配置された他の引き出し１５，１６などが設けられて、単体としての厨房家具が構成されている。
【００１１】
調理台キャビネット５，７の上部のワークトップ８は、調理台になっている。シンクキャビネット６の上部のワークトップ８には、水栓装置１７やシンク１８が設けられている。
一方の調理台キャビネット５は、調理台のすぐ下部の引き出し２１と、その下方に設けられた引き出し２２，２３を有している。シンクキャビネット６は、水栓装置１７，シンク１８，引き出し２４，２５などを有している。
他方の調理台キャビネット７には、食器洗い乾燥機２６がビルトイン（作り付け）により設けられ、食器洗い乾燥機２６の下方には引き出し２７が設けられているので、他方の調理台キャビネット７は単体としての厨房家具を構成している。
こうしてシステムキッチン１は、単体としての厨房家具が複合した複合厨房家具を構成している。
【００１２】
次に、実施例およびその変形例について、図２ないし図１６を参照して説明する。
実施例（図２ないし図１４）とその変形例（図１５，図１６）は、システムキッチン１の調味料用の引き出し（スパイスボックス）に本発明を適用して、この引き出しを補助テーブル付き引き出し１４とした場合を示している。
【００１３】
図２ないし図１４は一実施例を示す図で、図２は、補助テーブル付き引き出しの補助テーブルを使用するときのシステムキッチンの部分斜視図、図３（Ａ）は、補助テーブル付き引き出しの正面断面図、図３（Ｂ）は、図３（Ａ）のIII部拡大断面図、図４は、テーブル付き引き出しの分解斜視図、図５（Ａ）〜（Ｃ）は、補助テーブルの構成と動作を示す斜視図、図６は、補助テーブルの一部を示す斜視図、図７は、補助テーブルの水平保持手段を示す分解斜視図、図８（Ａ），（Ｂ）は、図７に示す補助テーブルにおける水平保持手段の動作を示す斜視図である。
図９ないし図１４は、補助テーブル付き引き出しの使用手順を説明するためのシステムキッチンの部分斜視図で、図９は、引き出し本体部を引き出した状態を示している。図１０は、補助テーブルを引き出す途中の状態を示している。図１１は、補助テーブルを引き出した状態を示している。図１２は、揺動テーブル部材を開く途中の状態を示している。図１３は、揺動テーブル部材を開いて水平にした状態を示している。図１４は、補助テーブルを使用中の状態を示している。
【００１４】
図１ないし図４に示すように、システムキッチン１は、補助テーブル付き引き出し１４を有しており、補助テーブル付き引き出し１４は、キャビネット３に引き出し収納自在に設けられている。
補助テーブル付き引き出し１４は、水平前後方向（Ｄ3，Ｄ4方向）に移動可能にキャビネット３に設けられ収納部３２に調味料など被収納物３３を収納可能な引き出し本体部３４と、引き出し本体部３４およびキャビネット３の少なくとも一方（本実施例では、キャビネット３）に設けられ、引き出し本体部３４に対して相対的に水平前後方向（Ｄ3，Ｄ4方向）に移動可能で開閉可能な折り重ね構造の補助テーブル３１とを備えている。
そして、引き出し本体部３４をキャビネット３から引き出した状態で、補助テーブル３１もキャビネット３から引き出して折り重ね構造を水平に開いて位置決めし補助テーブル３１に食器など被載置物３５を載置可能にしている。
これにより、補助テーブル付き引き出し１４は、収納部３２に被収納物３３を収納する機能を有する引き出し本体部３４をキャビネット３から引き出した状態で、被載置物３５を載置するという作業用テーブルとしての機能を必要に応じて新たに付加的に発生可能である。また、キャビネット３自体を設計変更しなくても補助テーブル付き引き出し１４を設置可能で、この引き出し１４を簡素な構成にすることができる。
【００１５】
補助テーブル３１は、水平テーブル部材５１と、少なくとも一枚（本実施例では、一枚）の揺動テーブル部材５２とを備えて折り重ね構造を構成するとともに、前方に引き出された状態で位置決め保持されるように構成されている。水平テーブル部材５１と揺動テーブル部材５２により、一つのユニットが構成されている。
水平テーブル部材５１は、引き出し本体部３４の上部開口５３の上方に配置され、引き出し本体部３４に対して相対的に水平前後方向（Ｄ3，Ｄ4方向）に移動可能に、キャビネット３または引き出し本体部３４（本実施例では、キャビネット３）に水平に設けられている。
揺動テーブル部材５２は、水平テーブル部材５１に揺動可能に連結され、重なった状態からほぼ１８０度開いて水平方向の姿勢を維持可能になっている。
【００１６】
引き出し本体部３４をキャビネット３から引き出すと、補助テーブル３１の前端部３６がキャビネット３の前面３７とほぼ同じ位置かまたは若干前方に出ることにより、補助テーブル３１を前方に引き出し可能になっている。
水平テーブル部材５１は、上下方向と左右方向（Ｄ1，Ｄ2方向）に移動しないように拘束されている。補助テーブル３１は、前方に引き出されて折り重ね構造が水平に開いているときには前後方向（Ｄ3，Ｄ4方向）に移動しないように拘束されるとともに、水平テーブル部材５１と揺動テーブル部材５２が、並んで水平な上面を形成することにより被載置物３５を載置可能にしている。
このように、補助テーブル３１は開閉可能な折り重ね構造なので、補助テーブル付き引き出し１４をキャビネット３の内部に収納したり、また、前方に引き出して揺動テーブル部材５２を開くことにより、それまで隠れていた作業用テーブルとしての機能が付加的に新たに発生する。
【００１７】
キャビネット３には、左右一対の受けレール４８が取付けられている。受けレール４８は、前後方向（Ｄ3，Ｄ4方向）を向いてほぼ水平に且つ平行に配置されている。受けレール４８には、スライド部材４９が前後方向（Ｄ3，Ｄ4方向）にスライド自在に係合している。一対のスライド部材４９は、引き出し本体部３４の左右両側に取付けられている。
受けレール４８とスライド部材４９により、引き出し本体部３４をスライド可能に支持するレール機構が構成されている。補助テーブル付き引き出し１４は、このレール機構を介して、キャビネット３に対して前後方向（Ｄ3，Ｄ4方向）に自在に移動することができる。
【００１８】
引き出し本体部３４用の前記レール機構の上方には、補助テーブル３１用のレール機構が設けられている。すなわち、キャビネット３には、左右一対の補助テーブル用受けレール２８が取付けられている。一対の補助テーブル用受けレール２８は、前後方向（Ｄ3，Ｄ4方向）を向いてほぼ水平に且つ平行に配置されている。
補助テーブル用受けレール２８には、補助テーブル用スライド部材２９が前後方向（Ｄ3，Ｄ4方向）にスライド自在に係合している。一対の補助テーブル用スライド部材２９は、水平テーブル部材５１の左右両側に取付けられている。
補助テーブル用受けレール２８と補助テーブル用スライド部材２９により、補助テーブル３１をスライド可能に支持する補助テーブル用レール機構が構成されている。補助テーブル３１は、補助テーブル用レール機構を介して、キャビネット３に対して、また引き出し本体部３４に対して、相対的に前後方向（Ｄ3，Ｄ4方向）に自在に移動することができる。
水平テーブル部材５１は、補助テーブル用レール機構を介して支持されているので、上下方向と左右方向（Ｄ1，Ｄ2方向）に移動しないように拘束されている。
なお、補助テーブル３１がキャビネット３に支持されている場合を示しているが、補助テーブル３１を引き出し本体部３４に取付けた場合であってもよい。
【００１９】
揺動テーブル部材５２は、ヒンジ５９など連結手段を介して水平テーブル部材５１に連結されている。揺動テーブル部材５２は、水平テーブル部材５１の上に重なった状態から（図５（Ａ））、ほぼ１８０度揺動して開くことにより（図５（Ｂ））、水平テーブル部材５１の横に並んで水平になる（図５（Ｃ））。これにより、平面視で広い作業用テーブルが形成される。
揺動テーブル部材５２の後端部には、突出部５８が別体でまたは一体的に後方に突出して設けられている。本実施例では、別部品の突出部５８が、揺動テーブル部材５２の後端部に、ねじ６０など締結部材により締結固定されている（図６）。
これにより、補助テーブル３１が前方に引き出され水平に開いているときには、突出部５８がキャビネット３またはグリル１２の前面に当たるのでストッパーとしての機能を発揮し、補助テーブル３１が後方に移動しないように規制される。
また、補助テーブル３１は、前方に移動したときには、その前端部３６が引き出し本体部３４の前板３９の裏面に当接して、それ以上前方に移動しないように規制されている。したがって、補助テーブル３１は、前方に引き出され水平に開いた状態で、前後方向（Ｄ3，Ｄ4方向）に移動しないように拘束されて位置決め保持される。
補助テーブル３１の前端部３６には、指を掛けるための操作部４１が形成されている。したがって、補助テーブル３１の前端部３６がキャビネット３の前面３７とほぼ同じ位置かまたは若干前方に出れば、指を操作部４１に掛け、補助テーブル３１を引っ張って前方に引き出すことができる。
【００２０】
補助テーブル３１の折り重ね構造が開いている状態で、補助テーブル３１の外周縁の全体または一部（本実施例では、全体）には、凸状縁部４６が形成されている。これにより、補助テーブル３１上に載置された被載置物３５が移動しても凸状縁部４６により規制されるので、被載置物３５が補助テーブル３１の縁から落下するのを防止できる。
また、折り重ね構造を閉じたとき、水平テーブル部材５１と揺動テーブル部材５２の表面同士の間には、凸状縁部４６により隙間ｄが形成される（図３（Ａ），（Ｂ））。したがって、テーブル部材５１，５２の表面同士が密着してくっついてしまうことを防止して、折り重ね構造を容易に開閉することができる。
【００２１】
補助テーブル３１の表面の全体には、エンボス加工により凹凸模様４５が形成されている。「エンボス加工」は、たとえば、なし地仕上げ，コイニング加工などのように、表面に機械的または化学的処理によって凹凸模様４５を付ける加工を行うことである。
凹凸模様４５が滑り止めの機能を発揮するので、被載置物３５を補助テーブル３１に載置したときの安定性が向上し、また、補助テーブル３１に傷が付くのを防止でき、万一傷が付いてもこの傷が目立たなくなる。
【００２２】
図７，図８（Ａ），（Ｂ）に示すように、補助テーブル３１は、二重の折り重ね構造になっており、この折り重ね構造が開いている状態で水平テーブル部材５１に対して揺動テーブル部材５２を水平に拘束するための水平拘束手段４７を有している。
補助テーブル３１が前方に引き出された状態で、揺動テーブル部材５２は、１８０度開けば水平状態になるが、下方側にはそれ以上揺動しない。ところが、調理作業中のユーザーがうっかり揺動テーブル部材５２に触れたようなときには、揺動テーブル部材５２にこれを持ち上げる力が加わる恐れがある。
そこで、水平拘束手段４７を設けることにより、折り重ね構造が開いている状態で、揺動テーブル部材５２を水平に拘束して、この水平の姿勢のままを維持するようにしている。その結果、補助テーブル３１の使用中に、揺動テーブル部材５２がうっかり上方に揺動する恐れがなくなり、被載置物３５は補助テーブル３１に安定的に且つ安全に載置される。
【００２３】
水平拘束手段４７の一例として、たとえば、水平テーブル部材５１と揺動テーブル部材５２に、互いに連通する蟻溝６１，６２がそれぞれ形成されている。蟻溝６１，６２は、水平テーブル部材５１と揺動テーブル部材５２の各表面側に形成されている。蟻溝６１，６２には、ロック部材６３が係合されてばね材６４により付勢されている。
揺動テーブル部材５２が水平テーブル部材５１上に折り重なっているときには、ロック部材６３は、水平テーブル部材５１の蟻溝６１に抜け出ない状態で係合している。揺動テーブル部材５２を１８０度揺動させて開いた状態で、ロック部材６３を操作すると、ロック部材６３は両方の蟻溝６１，６２に係合する。その結果、揺動テーブル部材５２は上方に動かないようになって、上下方向に拘束された状態で水平の姿勢を維持する。
【００２４】
次に、補助テーブル付き引き出し１４を使用する手順について説明する。
まず初めに、図９に示すように、把手５０に指を掛けて補助テーブル付き引き出し１４をキャビネット３から前方に引き出す。すると、引き出し本体部３４が前方に引き出され、引き出し本体部３４の上部開口５３が開放された状態になる。これにより、引き出し本体部３４の収納部３２に対して被収納物３３を自在に出し入れすることができ、引き出し本体部３４は収納機能を発揮する。
こうして、引き出し本体部３４が前方に引き出されると、補助テーブル３１の前端部３６がキャビネット３の前面３７とほぼ同じ位置かまたは若干前方に出ているので、補助テーブル３１の操作部４１に指を掛けて前方に引き出すことが可能になる。
【００２５】
そこで、補助テーブル３１を使用する場合には、図１０に示すように、補助テーブル３１の前端部に形成された操作部４１に指を掛けて補助テーブル３１を前方に移動させ、図１１に示すように、最も前方側に位置させる。
次に、水平テーブル部材５１の上に折り重なっている揺動テーブル部材５２を（図１１）、図１２，図１３に示すように、水平の位置まで１８０度揺動させる。その後、水平拘束手段４７のロック部材６３（図７）を揺動テーブル部材側にスライドさせることにより、揺動テーブル部材５２は水平の姿勢に拘束されてこの姿勢を維持する。
その結果、水平テーブル部材５１と揺動テーブル５２が並んで水平な上面を形成する。この状態のとき、補助テーブル３１の突出部５８が、キャビネット３またはグリル１２に当たるのでストッパーとしての機能を発揮する。
図１４に示すように、こうして水平な上面を有する補助テーブル３１に被載置物３５を載置することができるので、補助テーブル３１は、被載置物３５を載置するという作業用テーブルとしての機能を新たに付加的に発生する。
【００２６】
図１５，図１６は前記実施例の変形例を示す図で、図１５は、補助テーブル３１を使用するときの補助テーブル付き引き出し１４の正面断面図、図１６（Ａ），（Ｂ），（Ｃ）は、補助テーブル３１の動作を示す正面図である。
なお、前記実施例と同一または相当部分には同一符号を付してその説明を省略し、異なる部分のみ説明する。
【００２７】
図１，図１５，図１６に示すように、この変形例にかかるシステムキッチン１は補助テーブル付き引き出し１４を有している。補助テーブル付き引き出し１４の補助テーブル３１では、水平テーブル部材５１に二つの揺動テーブル５２を直列に連結している。このようにすれば、折り重ね構造の補助テーブル３１を水平に開いたときに、補助テーブル３１の平面視の面積がさらに広くなり、より多くの被載置物３５を載置することができる。
補助テーブル付き引き出し１４は、キャビネット３に引き出し収納自在に設けられており、コンロ１３のすぐ下部に配置され、被収納物として主として調味料を収納するのに使用される。
【００２８】
補助テーブル付き引き出し１４は、水平前後方向（Ｄ3，Ｄ4方向）に移動可能にキャビネットに設けられ収納部３２に被収納物３３を収納可能な引き出し本体部３４と、引き出し本体部３４およびキャビネット３の少なくとも一方（この変形例では、キャビネット３）に設けられ、引き出し本体部３４に対して相対的に水平前後方向（Ｄ3，Ｄ4方向）に移動可能で開閉可能な折り重ね構造の補助テーブル３１とを備えている。
そして、引き出し本体部３４をキャビネット３から引き出した状態で、補助テーブル３１もキャビネット３から引き出して折り重ね構造を水平に開いて位置決めしこの補助テーブル３１に被載置物３５を載置可能にしている。
これにより、補助テーブル付き引き出し１４は、収納の機能に加えて、それまで隠れていた作業用テーブルとしての機能を必要に応じて付加的に発生可能などの、前記実施例と同じ作用効果を奏する。
【００２９】
補助テーブル３１は、前記実施例と同じ水平テーブル部材５１と、水平テーブル部材５１に連結され、重なった状態からほぼ１８０度開いて水平方向の姿勢を維持可能な少なくとも一枚（この変形例では、二枚）の揺動テーブル部材５２とを備えて折り重ね構造を構成するとともに、前方に引き出され水平に開いた状態で位置決め保持される。
引き出し本体部３４をキャビネット３から引き出すと、補助テーブル３１の前端部３６がキャビネット３の前面とほぼ同じ位置かまたは若干前方に出ることにより、この補助テーブル３１を前方に引き出し可能である。
補助テーブル３１は、前方に引き出されて折り重ね構造が水平に開いているときには前後方向（Ｄ3，Ｄ4方向）に移動しないように拘束されるとともに、水平テーブル部材５１と二枚の揺動テーブル部材５２が直列に並んで水平な上面を形成することにより、被載置物３５を載置可能にしている。
【００３０】
補助テーブル３１は、折り重ね構造が開いている状態で水平テーブル部材５１に対して二つの揺動テーブル部材５２を水平に拘束するための水平拘束手段４７を有している。水平拘束手段４７は、前記実施例と同じ構成であり、水平テーブル部材５１と、これに直接連結する揺動テーブル部材５２との間に設けられている。
さらに、二つの揺動テーブル部材５２同士も連結されているので、この両方の揺動テーブル部材５２の間にも水平拘束手段４７が設けられ、この水平拘束手段４７は、折り重ね構造が開いている状態で裏面側に配置されている。その結果、一番端の揺動テーブル部材５２が下方に揺動するのを防止して、水平の姿勢を維持することができる。
この変形例においても、前記実施例と同じ構成の凸状縁部４６と凹凸模様４５が形成されている。
【００３１】
補助テーブル付き引き出し１４を使用する手順は前記実施例とほぼ同じであるが、違う点としては、補助テーブル３１を開くとき、図１６（Ａ），（Ｂ），（Ｃ）に示すように、水平テーブル部材５１に直接連結されている揺動部材５２から順次開いていき、最終的に全体が平面状になるように開いた後、水平拘束手段４７のロック部材６３（図７）を操作して水平状態を維持させればよい。
その結果、この補助テーブル付き引き出し１４においても、前記実施例と同じ作用効果を奏する。
【００３２】
実施例および変形例にかかる補助テーブル付き引き出し１４は、コンロ１３に設けられたグリル１２の横で且つ壁面１９側の幅狭のスペースに配置されている。引き出し本体部３４の収納部３２には、被収納物３３として調味料など小さいサイズのものを収納可能になっている。
ところで、このグリル１２の横の幅狭のスペースは利用しにくいスペースであるが、ここをデッドスペースにせず有効活用するために、従来は、いわば消極的な理由でこのスペースに調味料入れの引き出し（スパイスボックス）が設けられていた。
これに対して、本発明では、この調味料入れの引き出しを積極的に利用して補助テーブル付き引き出し１４としてこれをこの幅狭のスペースに配置し、収納機能に加えて、被載置物３５を載置する作業用テーブルとしての機能を新たに付加的に発生可能にしている。
また、補助テーブル３１を使用するときに、すぐ横が壁面１９なので、被載置物３５が壁面１９で保護されることになり、この壁面１９側に落下する恐れはなく、より安定化する。
【００３３】
補助テーブル付き引き出し１４は、補助テーブル３１を使用しないときには揺動テーブル部材５２を折り畳んでおけば補助テーブル付き引き出し１４のまわりに突出部分はなくなって通常の引き出しとして使用できるので、調理の邪魔にはならず、使い勝手がよい。
また、補助テーブル３１を広げて使用するときも、この補助テーブル３１は壁面１９のところに位置するので、ユーザーの調理作業中の動線と干渉することはなく、調理の際にユーザーが移動するのに邪魔になることはない。
【００３４】
補助テーブル３１は、ワークトップ８より若干低いがこれに近い高さ位置に位置して作業用テーブルとしての機能を発揮する。近年は、台所で調理をするときの作業用スペースが不足気味で、広い作業用スペースが求められていたが、本発明は、補助テーブル３１を「ちょい置きスペース」としても有効に活用することができ、前記要望に応えることができる。
補助テーブル３１は、コンロ１３のすぐ近くに位置している。したがって、補助テーブル３１上に食器などを置けば、コンロ１３で調理された料理をこの食器にすぐに盛り付けることができ、調理を効率的に行うことができる。
【００３５】
補助テーブル付き引き出し１４が、キャビネット３に収納されている状態から作業用テーブルとしての機能を新たに発生させるまでに必要なユーザーのアクションについて説明する。
実施例では、引き出し本体部３４を前方に引き、補助テーブル３１を前方に引き、揺動テーブル部材５２を水平にするという三つのアクションのみでよい。変形例では、引き出し本体部３４を前方に引き、補助テーブル３１を前方に引き、一方の揺動テーブル部材５２を水平に開き、他方の揺動テーブル部材５２を水平に開くという四つのアクションでよい。
このように、本発明では、簡単なアクションで補助テーブル３１が作業用テーブルとしての機能を発揮する。なお、被収納物３３を出し入れする場合には、引き出し本体部３４を引くという一つのアクションのみで被収納物３３を出し入れ可能な状態にすることができ、操作が簡単である。
【００３６】
以上、本発明の実施例（変形例を含む。以下同じ）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３７】
本発明は、台所に設置されるキッチン（たとえば、複合厨房家具の一種であるシステムキッチン）など厨房家具に設けられる引き出しに適用可能である。
【図面の簡単な説明】
【００３８】
【図１】図１ないし図１６は本発明の実施例を示す図で、図１は、実施例または変形例が適用されたシステムキッチンの斜視図である。
【図２】図２ないし図１４は一実施例を示す図で、図２は、補助テーブル付き引き出しの補助テーブルを使用するときのシステムキッチンの部分斜視図である。
【図３】図３（Ａ）は、補助テーブル付き引き出しの正面断面図、図３（Ｂ）は、図３（Ａ）のIII部拡大断面図である。
【図４】テーブル付き引き出しの分解斜視図である。
【図５】補助テーブルの構成と動作を示す斜視図である。
【図６】補助テーブルの一部を示す斜視図である。
【図７】補助テーブルの水平保持手段を示す分解斜視図である。
【図８】図７に示す補助テーブルにおける水平保持手段の動作を示す斜視図である。
【図９】図９ないし図１４は、補助テーブル付き引き出しの使用手順を説明するためのシステムキッチンの部分斜視図で、図９は、引き出し本体部を引き出した状態を示している。
【図１０】補助テーブルを引き出す途中の状態を示している。
【図１１】補助テーブルを引き出した状態を示している。
【図１２】揺動テーブル部材を開く途中の状態を示している。
【図１３】揺動テーブル部材を開いて水平にした状態を示している。
【図１４】補助テーブルを使用中の状態を示している。
【図１５】図１５，図１６は変形例を示す図で、図１５は、補助テーブルを使用するときの補助テーブル付き引き出しの正面断面図である。
【図１６】補助テーブルの動作を示す正面図である。
【符号の説明】
【００３９】
１      システムキッチン（厨房家具）
３      キャビネット
１２    グリル
１３    コンロ
１４    補助テーブル付き引き出し
１９    壁面
２８    補助テーブル用受けレール
２９    補助テーブル用スライド部材
３１    補助テーブル
３２    収納部
３３    被収納物
３４    引き出し本体部
３５    被載置物
３６    前端部
３７    前面
４６    凸状縁部
４７    水平拘束手段
５１    水平テーブル部材
５２    揺動テーブル部材
５３    上部開口
Ｄ1     左方
Ｄ2     右方
Ｄ3     前方
Ｄ4     後方
【図１】
2007289361.tif 000003
【図２】
2007289361.tif 000004
【図３】
2007289361.tif 000005
【図４】
2007289361.tif 000006
【図５】
2007289361.tif 000007
【図６】
2007289361.tif 000008
【図７】
2007289361.tif 000009
【図８】
2007289361.tif 000010
【図９】
2007289361.tif 000011
【図１０】
2007289361.tif 000012
【図１１】
2007289361.tif 000013
【図１２】
2007289361.tif 000014
【図１３】
2007289361.tif 000015
【図１４】
2007289361.tif 000016
【図１５】
2007289361.tif 000017
【図１６】
2007289361.tif 000018